(57)【要約】【課題】本発明は、簡単に組み立てることができるとともにテンプルをスムーズに開閉する円滑な回動動作が行え、テンプルの所定の開き角度で確実に停止させることが可能な眼鏡用蝶番を提供することを目的とする。【解決手段】眼鏡用蝶番３は、レンズを保持するレンズ保持部材２に取り付けられるとともに外周面において軸方向に直交する方向に沿って嵌合溝３０ａ及び３０ｂが形成された軸部材３０と、嵌合溝３０ａ及び３０ｂを挟むように対向配置されて嵌合溝３０ａ及び３０ｂに当接する一対の当接部３１ｃ及び３１ｄが設けられた軸受部材３１とを備え、一方の当接部３１ｄは、嵌合溝３０ａ及び３０ｂに沿って当接するように湾曲形成されており、当接部３１ｃは、当接部３１ｄと同じ方向に向かって湾曲形成されて嵌合溝３０ａ及び３０ｂと最も近接した位置でのみ当接している。【選択図】図３
2014081408.tif 000002
【特許請求の範囲】
【請求項１】
レンズを保持するレンズ保持部材に取り付けられるとともに外周面において軸方向に直交する方向に沿って嵌合溝が形成された軸部材と、前記嵌合溝を挟むように対向配置されて前記嵌合溝に当接する一対の当接部が設けられた軸受部材とを備え、一方の前記当接部は、前記嵌合溝に沿って当接するように湾曲形成されており、他方の前記当接部は、一方の前記当接部と同じ方向に向かって湾曲形成されて前記嵌合溝と最も近接した位置で当接している眼鏡用蝶番。
【請求項２】
前記軸部材は、円柱状に形成されているとともに外周面に前記嵌合溝が所定間隔を空けて一対形成されており、前記軸受部材は、２重に折り返して前記嵌合溝の間隔とほぼ同じ間隔に設定された線材を当該間隔を維持した状態でさらに２重となるように折り返して形成されており、前記当接部は、折り返した前記線材の対向位置にそれぞれ前記線材を湾曲させて形成されている請求項１に記載の眼鏡用蝶番。
【請求項３】
前記軸受部材は、前記線材を２重に折り返して形成されたＵ字状の係止部を有しており、前記軸部材は、前記嵌合溝の間に前記係止部に係止する係止ピンが設けられている請求項２に記載の眼鏡用蝶番。
【請求項４】
請求項１から３のいずれかに記載の眼鏡用蝶番を備えている眼鏡フレーム。
【発明の詳細な説明】
【技術分野】
【０００１】
本発明は、レンズ保持部材及びテンプルを備えた眼鏡フレームの蝶番に関する。
【背景技術】
【０００２】
眼鏡フレームは、レンズの全体又は一部を保持するレンズ枠体やツーポイントタイプのように枠無で保持する連結体のようなレンズ保持部材に蝶番を介してテンプルを回動可能に取り付けてテンプルが折り畳めるように構成されている。
【０００３】
こうした眼鏡用蝶番では、従来よりネジを用いた蝶番が用いられているが、部品の複雑な加工や組立調整が必要なことから、ネジを用いない蝶番が提案されている。例えば、特許文献１では、線材よりなるブラケットを２つ折りにし、ブラケットの先端部に屈曲部を設け、テンプルの先端に取り付けられた円筒状軸部部材を屈曲部に嵌合し、屈曲部を支軸にテンプルが回動自在となる眼鏡の回動機構が記載されている。また、特許文献２では、眼鏡フロント部のエンドピースの持出側の端部に設けられた上下一対の略Ｕ字形状の湾曲軸受部材と、湾曲軸受部材の先端同士が連なる当接片と、テンプルの基端部に設けられた縦軸部材とから構成し、上下一対の湾曲軸受部材の間にテンプルを挟んだ状態で、縦軸部材を湾曲軸受部材に支承する蝶番機構が記載されている。また、特許文献３では、貫通孔を有する軸部材と、軸部材を取り巻いて回動可能に把持するための把持部を備えた第１眼鏡部材と、先端部に折り返し部を備えた第２眼鏡部材とからなり、第１眼鏡部材の把持部には、軸部材の回動軸線と垂直方向に端部を有する案内溝孔が設けられ、第２眼鏡部材の折り返し部又は第２眼鏡部材本体が、案内溝孔に開口した軸部材の貫通孔に挿通され、軸部材を折り返し部と第２眼鏡部材本体部とで挟持することにより固定されており、第１眼鏡部材及び第２眼鏡部材の所定の拡開状態で、第２眼鏡部材が案内溝孔の端部に当接する眼鏡部材の連結回動構造が記載されている。
【先行技術文献】
【特許文献】
【０００４】
【特許文献１】特開平１０−２０２６０号公報
【特許文献２】特開平１１−３３７８８３号公報
【特許文献３】特開２００４−３３３６５６号公報
【発明の概要】
【発明が解決しようとする課題】
【０００５】
上述した特許文献では、軸部材を線材で形成した軸受部材で回動可能に支持するようにしているが、軸部材の周囲に線材が巻き付くように接触した状態となっているため、軸部材と軸受部材との間の接触抵抗が高くなり、テンプルをスムーズに開閉することが難しくなる。特許文献２では、軸部材の半周にわたって線材が接触するようになっているが、この場合には軸部材が抜け落ちやすくなり、安定した回動動作を行うことが難しくなる。
【０００６】
そこで、本発明は、簡単に組み立てることができるとともにテンプルをスムーズに開閉する円滑な回動動作が行え、テンプルの所定の開き角度で確実に停止させることが可能な眼鏡用蝶番を提供することを目的とする。
【課題を解決するための手段】
【０００７】
本発明に係る眼鏡用蝶番は、レンズを保持するレンズ保持部材に取り付けられるとともに外周面において軸方向に直交する方向に沿って嵌合溝が形成された軸部材と、前記嵌合溝を挟むように対向配置されて前記嵌合溝に当接する一対の当接部が設けられた軸受部材とを備え、一方の前記当接部は、前記嵌合溝に沿って当接するように湾曲形成されており、他方の前記当接部は、一方の前記当接部と同じ方向に向かって湾曲形成されて前記嵌合溝と最も近接した位置で当接している。さらに、前記軸部材は、円柱状に形成されているとともに外周面に前記嵌合溝が所定間隔を空けて一対形成されており、前記軸受部材は、２重に折り返して前記嵌合溝の間隔とほぼ同じ間隔に設定された線材を当該間隔を維持した状態でさらに２重となるように折り返して形成されており、前記当接部は、折り返した前記線材の対向位置にそれぞれ前記線材を湾曲させて形成されている。さらに、前記軸受部材は、前記線材を２重に折り返して形成されたＵ字状の係止部を有しており、前記軸部材は、前記嵌合溝の間に前記係止部に係止する係止ピンが設けられている。
【発明の効果】
【０００８】
本発明は、上記のような構成を有することで、簡単に組み立てることができるとともにテンプルをスムーズに開閉する円滑な回動動作が行え、テンプルの所定の開き角度で確実に停止させることができる。
【図面の簡単な説明】
【０００９】
【図１】本発明に係る眼鏡用蝶番を備えた眼鏡フレームに関する平面図、正面図及び側面図である。
【図２】蝶番に関する分解斜視図である。
【図３】軸部材及び軸受部材を組み立てた状態に関する斜視図である。
【図４】テンプルを開閉させる場合に関する説明図である。
【図５】テンプルを開いた状態に関する説明図である。
【図６】本発明に係る別の眼鏡用蝶番を備えた眼鏡フレームに関する平面図、正面図及び側面図である。
【発明を実施するための形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る眼鏡用蝶番を備えた眼鏡フレームに関する平面図（図１（ａ））、正面図（図１（ｂ））及び側面図（図１（ｃ））である。眼鏡フレームは、一対のレンズＬの間に配置されてレンズＬを連結保持するレンズ保持部材１と、レンズＬのレンズ保持部材１とは反対側に配置されてレンズＬを保持する一対のレンズ保持部材２と、レンズ保持部材２とテンプル４とを連結する蝶番３と、蝶番３によりレンズ保持部材２に回動可能に連結された一対のテンプル４と、テンプル４の蝶番３とは反対側に装着されたモダン５とを備えている。
【００１２】
レンズ保持部材１は、レンズＬの間の上側中央部分に配置されており、両端部がＬ字状に曲げられてレンズＬに形成された貫通孔に挿入されている。そして、貫通孔に挿入された突出した部分にレンズＬを固定する固定部材１ａを取り付けて、レンズＬを保持するようになっている。固定部材１ａとしては、例えば、レンズ保持部材１の挿入される端部に予めネジ山を形成しておき、形成されたネジ山にナット等を螺着して固定するようにすればよい。また、レンズ保持部材１には、一対の鼻パッド６が取り付けられている。鼻パッド６は、金属製の線材からなる支持部材６ａの下端部に固定されており、支持部材６ａの上端部はレンズ保持部材１に固定されている。
【００１３】
レンズ保持部材２は、レンズＬのレンズ保持部材１とは反対側の外側に配置されており、レンズＬ側の端部がＬ字状に曲げられてレンズＬに形成された貫通孔に挿入されている。そして、貫通孔に挿入された突出した部分にレンズＬを固定する固定部材２ａを取り付けて、レンズＬを保持するようになっている。固定部材２ａとしては、固定部材１ａと同様のものを用いることができる。レンズ保持部材２のテンプル４側の端部には、蝶番３の軸部材３０が固定されている。
【００１４】
蝶番３は、軸部材３０及び軸受部材３１を備えており、軸受部材３１は、テンプル４を構成する金属製の線材４０により形成されている。軸部材３０は、円柱状に形成されており、中央部分においてレンズ保持部材２の端部に取付固定されている。
【００１５】
テンプル４は、線材４０を２重に折り返し、２重の線材４０が上下に配列されるように取り付けられる。そして、線材４０の折り返してＵ字状形成された部分の側に、後述するように蝶番３の軸受部材３１が形成されており、線材４０の端部側に樹脂製のモダン５を装着して線材４０が開かないように固定されている。
【００１６】
図２は、蝶番３に関する分解斜視図である。軸部材３０は、レンズ保持部材２の取付箇所の上側及び下側の周面に一対の嵌合溝３０ａ及び３０ｂが形成されている。一対の嵌合溝３０ａ及び３０ｂは、軸部材３０の外周面において軸方向と直交する方向に全周にわたって形成されている。ここで、軸方向と直交する方向とは、軸部材３０の外周面に対して軸方向に直交する平面が交差する周方向となる。そして、嵌合溝３０ａ及び３０ｂの間には、周方向の所望の位置に係止ピン３０ｃが外方に向かって突設されている。
【００１７】
軸受部材３１は、テンプル４を構成する線材４０を２重に折り返して形成されたＵ字状部分が係止部３１ａとなっており、上下方向に２重に配列された線材４０の間隔は、軸部材３０の嵌合溝３０ａ及び３０ｂの間の間隔とほぼ同じになるように設定されている。２重に折り返した線材４０を間隔を維持した状態で係止部３１ａが外側となるようにさらに２重となるように折り返し、折り返した部分に湾曲部３１ｂが形成されている。そして、係止部３１ａが外側に反り返るように内側に向かって２重の線材４０を同じ形状に湾曲させて当接部３１ｃが形成されており、当接部３１ｃと対向する２重の線材４０の部分についても当接部３１ｃと同様に内側に向かって同じ形状に湾曲させて当接部３１ｄが形成されている。当接部３１ｃと３１ｄとの間の間隔は、軸部材３０の嵌合溝３０ａ及び３０ｂの底の径よりもわずかに狭くなるように設定されている。
【００１８】
図３は、軸部材３０及び軸受部材３１を組み立てた状態に関する斜視図である。軸部材３０を軸受部材３１に取り付ける場合には、２重の線材４０の間隔を軸部材３０が挿入可能となるように拡げて軸受部材３１の湾曲部３１ｂの内側に軸部材３０を挿入する。そして、軸受部材３１の当接部３１ｃ及び３１ｄの２重の線材４０が軸部材３０に形成された嵌合溝３０ａ及び３０ｂに嵌合するように押し込み、当接部３１ｃ及び３１ｄが嵌合溝３０ａ及び３０ｂを挟むように対向配置されて嵌合溝３０ａ及び３０ｂに当接するように設定する。そして、軸部材３０の係止ピン３０ｃを軸受部材３１の係止部３１ａに対向するように配置する。こうして、軸受部材３１と軸部材３０とを簡単に組み立てることができる。また、軸受部材３１から軸部材３０を取り外す場合にも、軸部材３０を軸受部材３１の湾曲部３１ｂ内に引き込み、線材４０の間隔を拡げて線材４０の間から軸部材３０を引き出せばよく、簡単に取り外すことができる。
【００１９】
図４は、テンプル４を開閉させる場合に関する説明図である。テンプル４を開いた状態では、図４（ａ）に示すように、軸部材３０の嵌合溝３０ａ及び３０ｂが軸受部材３１の当接部３１ｃ及び３１ｄが嵌合することで、テンプル４が回動可能にレンズ保持部材２に取り付けられるようになる。
【００２０】
当接部３１ｄは、内側に向かって湾曲しており、当接部３１ｄに対向する嵌合溝３０ａ及び３０ｂの部分も同じように湾曲形成されているため、嵌合溝３０ａ及び３０ｂに沿って当接部３１ｄが当接するようになる。一方、当接部３１ｃは、当接部３１ｄと同様に内側に向かって湾曲しているが、当接部３１ｃに対向する嵌合溝３０ａ及び３０ｂの部分は外側に向かって湾曲形成されているため、両者は互いに逆方向に向かって湾曲形成されており、当接部３１ｃは、嵌合溝３０ａ及び３０ｂに最も近接した位置で当接するようになる。
【００２１】
このように、軸部材３０は、内側及び外側で当接部３１ｃ及び３１ｄに当接して挟持されるようになっており、軸受部材３１に形成された湾曲部３１ｂの弾性力が作用して当接部３１ｃ及び３１ｄの間を狭くする方向に付勢されるので、軸受部材３１に対してガタツキが生じることはない。そして、当接部３１ｃと３１ｄとの間の間隔は、最も短い間隔が軸部材３０の嵌合溝３０ａ及び３０ｂの径よりもわずかに狭くなるように設定されているので、当接部３１ｃ及び３１ｄは嵌合溝３０ａ及び３０ｂ内に嵌り込んで常時密着した状態となり、軸受部材３１が回動する際のガタツキが防止される。また、湾曲部３１ｂは、内部の間隔が当接部３１ｃ及び３１ｄの間の間隔よりも大きくなるように設定することで、安定した付勢力を作用させることができ、内部に軸部材３０を収容して組み立てる際の作業も容易に行うことができる。
【００２２】
また、内側で当接部３１ｄが嵌合溝３０ａ及び３０ｂに沿って当接し、外側では当接部３１ｄが嵌合溝３０ａ及び３０ｂから外れないように当接部３１ｃにより押えられているため、当接部３１ｄの当接部分が嵌合溝３０ａ及び３０ｂの半周以下に設定しても軸受部材３１の回動動作の際に軸部材３０が湾曲部３１ｂ内に外れることはない。そして、当接部３１ｃでは、当接部３１ｄと対向配置されて軸部材３０を当接部３１ｄに向かって押圧すればよいため、接触面積を大きくする必要がなく、嵌合溝３０ａ及び３０ｂと当接部３１ｃ及び３１ｄとの間の接触面積を小さくすることが可能となる。そのため、軸受部材３１を回動する際の接触抵抗を小さくして円滑な回動動作を行うことができ、テンプル４をスムーズに開閉することが可能となる。そして、嵌合溝３０ａ及び３０ｂに当接部３１ｃ及び３１ｄが嵌り込むことで、上下方向の抜け防止やガタツキを抑えることができる。
【００２３】
また、テンプル４を開いた状態では、軸部材３０の係止ピン３０ｃが軸受部材３１の係止部３１ａに対向配置されて係合状態となり、テンプル４を必要以上に開かないように設定されている。そして、図５に示すように、係止ピン３０ｃが係止部３１ａに当接した状態でテンプル４をさらに開こうとする場合には、係止部３１ａが係止ピン３０ｃに対して外側に向かって押圧するように作用する。そのため、係止部３１ａが内側に向かって変形するようになって係止部３１ａに隣接する当接部３１ｃを嵌合溝３０ａ及び３０ｂに圧接するように作用する。したがって、軸受部材３１の当接部３１ｃ及び３１ｄは軸部材３０にしっかりと圧接した状態となり、テンプル４が外側に開くように変形するようになる。こうして、テンプル４を所定の開き角度で確実に停止させることができ、所定の開き角度以上に開いた場合でも軸受部材３１が軸部材３０から外れることなく、従来の眼鏡フレームと同様に取り扱うことができる。
【００２４】
テンプル４を閉じる方向に回動させる場合には、図４（ｂ）に示すように、軸部材３０の嵌合溝３０ａ及び３０ｂ内を軸受部材３１の当接部３１ｃ及び３１ｄが摺動してスムーズに回動するようになり、軸部材３０を当接部３１ｃ及び３１ｄが挟持するように密着しているため、回動する際に軸受部材３１が軸部材３０から外れることはなく、安定した回動動作を行うことができる。また、軸部材３０の係止ピン３０ｃは、軸受部材３１の当接部３１ｃの２重の線材４０の間を通過して湾曲部３１ｂ内に収容されるため、回動動作の障害となることはなく、外部に突出して衣服等に引っ掛かるようなこともない。
【００２５】
図６は、軸受部材の形状が変更された変形例に関する平面図（図６（ａ））、正面図（図６（ｂ））及び側面図（図６（ｃ））である。この例では、軸受部材３１’は、線材４０’を２重に折り返したＵ状部分に形成されており、上述した例の軸受部材３１と同様の形状に形成されている。そして、軸受部材３１’の軸部材３０’に当接する部分を軸部材３０’の嵌合溝に沿うように形成して、当接部分を長く設定することで、安定した回動動作を行うことができる。
【００２６】
以上説明した例では、軸部材の内側及び外側に当接する軸受部材の当接部を内側に向かって湾曲するように形成しているが、両当接部を外側に向かって湾曲するように形成することもできる。この場合でも外側の当接部が軸部材の嵌合溝に沿って線状に当接するようになり、内側の当接部が嵌合溝に点状に当接して接触面積を小さくすることが可能となる。
【００２７】
また、上述した例では、レンズ保持部材は、レンズを両側で保持するツーポイントタイプであるが、これ以外のタイプのレンズ保持部材を使用することもできる。例えば、レンズの上部のみにレンズ枠体を嵌め込むナイロールタイプやレンズの全周をレンズ枠体で囲むフルリムタイプでもよい。
【符号の説明】
【００２８】
１・・・レンズ保持部材、２・・・レンズ保持部材、３・・・蝶番、３０・・・軸部材、３０ａ、３０ｂ・・・嵌合溝、３０ｃ・・・係止ピン、３１・・・軸受部材、３１ａ・・・係止部、３１ｂ・・・湾曲部、３１ｃ・・・当接部、３１ｄ・・・当接部、４・・・テンプル、４０・・・線材、５・・・モダン、６・・・鼻パッド
【図１】
2014081408.tif 000003
【図２】
2014081408.tif 000004
【図３】
2014081408.tif 000005
【図４】
2014081408.tif 000006
【図５】
2014081408.tif 000007
【図６】
2014081408.tif 000008